(57)【要約】【課題】  紙色を含めた特色を用いた色置換やＮ色印刷シミュレーションが容易となるようにする。【解決手段】  プリントサーバでは、特色への色置換が設定されていると、紙色の指定があるか否かを確認する（ステップ１００、１０２）。ここで、紙色の指定があるときには、紙色のＣＭＹＫ値を読み出し、この紙色のＣＭＹＫ値を特色のテーブルに付加した新たな特色のテーブルを作成し（ステップ１０４〜１０６）、このテーブルを用いて、特色への色置換を行う（ステップ１１０）。これにより、ページレイアウトの全面に紙色を的確に付加することができる。【選択図】        図６
2005182607.tif 000002
【特許請求の範囲】
【請求項１】
画像処理端末から入力されるプロセスカラーを用いたページレイアウトに対する画像データ又は描画命令に基づいて画像処理を行う画像処理方法であって、
前記画像データ又は描画命令上で前記プロセスカラーの何れかについて色置換が設定され、かつ、前記ページレイアウトの全面に対して色情報を含む紙色の付加の指定があるときに、前記色置換が設定されたプロセスカラーに対する置換色の色情報に前記紙色の色情報を付加して色置換を行うことを特徴とする画像処理方法。
【請求項２】
前記紙色を付加した色置換に、前記紙色のＣＭＹＫ値を加えた前記置換色のＣＭＹＫ値のテーブルを用いることを特徴とする請求項１に記載の画像処理方法。
【請求項３】
画像処理端末から入力されるプロセスカラーを用いたページレイアウトに対する画像データ又は描画命令に基づいて画像処理を行う画像処理方法であって、
前記画像データ又は描画命令上で前記プロセスカラーの何れかに対して非描画が設定され、かつ、前記ページレイアウトの全面に対して色情報を含む紙色の付加の指定があるときに、前記非描画が設定されたプロセスカラーを前記紙色に色置換して描画することを特徴とする画像処理方法。
【請求項４】
画像処理端末から入力されるプロセスカラーを用いたページレイアウトに対する画像データ又は描画命令に基づいて画像処理を行う画像処理方法であって、
前記ページレイアウトの全面に対して色情報を含む紙色の付加の指定があるときに、前記ページレイアウトの全面に前記色情報に基づいた前記紙色を特色のオーバープリントで描画することを特徴とする画像処理方法。
【発明の詳細な説明】
【技術分野】
【０００１】
本発明は、画像データないし描画命令に基づいた画像処理を行う画像処理方法に関する。
【背景技術】
【０００２】
ＤＴＰ（Desktop  Publishing）は、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer  to  Plate）。
【０００３】
また、ＤＴＰでは、実際の刷版の作成や刷版を用いた印刷に先立って校正を行う時には、ＷＹＳＩＷＹＧ機能を用いて、モニタに表示したページレイアウトをレーザープリンタ等のカラー印刷装置を用いて印刷出力することがある。
【０００４】
一方、通常のカラー印刷では、プロセスカラーであるシアン（Ｃ）、マゼンタ（Ｍ）、イエロー（Ｙ）、ブラック（Ｋ）の４色が用いられるが、プロセスカラーのうちの任意の１色（単色印刷）、２色（２色印刷）又は３色（３色印刷）を用いた印刷が行われることがある。また、プロセスカラーに換えて、所謂特色を用いた印刷が行われることがあり、さらに、印刷コストを下げるなどの目的として、例えば２色の特色又は１色の特色と１色のプロセスカラーを用いた２色印刷が行われることがある。
【０００５】
一般に、ＤＴＰアプリケーションでは、プロセスカラーの色の掛け合わせが容易であるが、２色印刷用の出力データ（ページレイアウト）を作成するときに、特色の色の掛け合わせを指定することができないものが多い。このために、ＤＴＰアプリケーションを用いて、特色を用いた２色印刷用のページレイアウトを作成するときには、２色のプロセスカラーを用いて作成して、フィルム出力するのが一般的となっている。
【０００６】
一方、特色を用いた２色印刷用のページレイアウトを作成するときに、特色に換えてプロセスカラーを用いると、このページレイアウトを、レーザープリンタ等を用いてカンプ出力したりプルーフ出力するときに、プロセスカラーを用いた２色印刷として出力されてしまい、実際の印刷物がどのように仕上がるかの的確な印刷シミュレーションが困難となっている。
【０００７】
このために、特別なプロファイルを予め作成し、このプロファイルを用いて、特色を用いた２色印刷シミュレーションを可能とする方法が提案されている（例えば、特許文献１参照。）。
【０００８】
また、特願２００３−７１４８４号では、特別なプロファイルを用いるまでもなく、特色の名前から簡単に、特色を用いた印刷シミュレーションを実現する方法を提案している。
【０００９】
ところで、実際のインクを用いた印刷（最終的な成果物）では、印刷シミュレーションを行うときと、紙の色が異なることがある。このために、印刷シミュレーションで得られる印刷物と実際の成果物では、仕上がりの印象が異なってしまうことがある。
【００１０】
すなわち、印刷シミュレーションでは、白色に近い色の紙が用いられるが、実際の印刷に使用される紙には多種の色があり、最終的な成果物は、白色と異なる色の紙に印刷されることが多い。
【００１１】
このために、２色印刷及び３色印刷などを行うときにも、最終的な成果物を得るときに用いる紙の色を含めた印刷シミュレーションが必要となる。
【００１２】
しかしながら、フルカラー印刷を行うときには、紙色を色補正によってシミュレーションすることができるが、２色印刷などでは、特に特色を含んでいると、色補正による紙色のシミュレーションが難しくなってしまう。
【００１３】
このために、紙の色に合わせた特別なプロファイルを用いる方法が考えられるが、このときには、紙の色が変わるたびに、その紙の色に合わせたプロファイルを作成する必要があり、そのために、多大な労力と時間および費用が発生する。また、特色の名前から簡易的に２色印刷等のシミュレーションを行う方法を用いたときにも、紙の色に合わせて特別なＣＭＹＫプロファイルを作成する必要がある。
【特許文献１】特開２０００−６２２５３号公報
【発明の開示】
【発明が解決しようとする課題】
【００１４】
本発明は上記事実に鑑みてなされたものであり、紙色を含めた２色印刷等の多色印刷シミュレーションを簡単に行うことができる画像処理方法を提案することを目的とする。
【課題を解決するための手段】
【００１５】
上記目的を達成するために本発明は、画像処理端末から入力されるプロセスカラーを用いたページレイアウトに対する画像データ又は描画命令に基づいて画像処理を行う画像処理方法であって、前記画像データ又は描画命令上で前記プロセスカラーの何れかについて色置換が設定され、かつ、前記ページレイアウトの全面に対して色情報を含む紙色の付加の指定があるときに、前記色置換が設定されたプロセスカラーに対する置換色の色情報に前記紙色の色情報を付加して色置換を行うことを特徴とする。
【００１６】
この発明によれば、色置換と紙色の付加が指定されているときに、置換色に紙色の色情報を付加して、色置換を行う。
【００１７】
これにより、簡単に紙色を付加した印刷シミュレーションが可能となる画像処理を行うことができる。
【００１８】
このときには、前記紙色を付加した色置換に、前記紙色のＣＭＹＫ値を加えた前記置換色のＣＭＹＫ値のテーブルを用いることができる。
【００１９】
また、本発明は、画像処理端末から入力されるプロセスカラーを用いたページレイアウトに対する画像データ又は描画命令に基づいて画像処理を行う画像処理方法であって、前記画像データ又は描画命令上で前記プロセスカラーの何れかに対して非描画が設定され、かつ、前記ページレイアウトの全面に対して色情報を含む紙色の付加の指定があるときに、前記非描画が設定されたプロセスカラーを前記紙色に色置換して描画することを特徴とする。
【００２０】
この発明によれば、出力しないように指定されているプロセスカラーがあるときに、このプロセスカラーを用いて紙色用の色版を作成する。すなわち、出力が指定されていないプロセスカラーがあるときに、その色の版を紙色に置換して出力されるようにする。
【００２１】
これにより、特色等への色置換が指定されていないときにも、簡単に紙色の印刷シミュレーションが可能となるように画像処理を行うことができる。
【００２２】
さらに、本発明は、画像処理端末から入力されるプロセスカラーを用いたページレイアウトに対する画像データ又は描画命令に基づいて画像処理を行う画像処理方法であって、前記ページレイアウトの全面に対して色情報を含む紙色の付加の指定があるときに、前記ページレイアウトの全面に前記色情報に基づいた前記紙色を特色のオーバープリントで描画することを特徴とする。
【００２３】
この発明によれば、ページレイアウトの全面に渡る紙色のオブジェクトを設定し、このオブジェクトをオーバープリントで描画する。これにより、色置換や非出力の指定されていないプロセスカラーがなくとも、紙色の印刷シミュレーションが可能となる画像処理を行うことができる。
【００２４】
このような本発明が適用される画像処理装置としては、紙色の色情報を記憶する記憶手段と、ページレイアウトの全面に対する紙色の付加が指定されているときに、画像データ又は描画命令に基づいた色情報に紙色の色情報を付加して、新たな色情報を生成する生成手段と、を含むものであれば良い。
【００２５】
また、この画像処理装置には、プロセスカラーの何れかに対して色置換が指定されているときに、生成手段として、置換色に紙色の色情報を付加して色変換を行う置換手段を設けることができる。また、生成手段としては、非出力に設定されているプロセスカラーがあるときに、該プロセスカラーに対して紙色を置換色とする色置換を行う置換設定手段を含むことができる。
【００２６】
さらに、画像処理装置として、紙色として入力される色情報を記憶手段に格納する入力手段を含むことができ、また、この入力手段として、紙色の色情報がＬ*ａ*ｂ*値として入力されたときに、ＣＭＹＫ値に変換する色変換手段を含むことができ、これにより、濃度計等を用いた紙色の入力を容易に行うことができる。
【発明の効果】
【００２７】
以上説明したように本発明によれば、単色印刷、２色印刷又は３色印刷を行うときに、成果物が印刷される紙色に合わせた印刷シミュレーションを簡単にかつ的確に行うことができるという優れた効果が得られる。
【発明を実施するための最良の形態】
【００２８】
以下に、図面を参照しながら本発明の実施の形態を説明する。図１には、本実施の形態に適用したネットワーク１０の概略構成を示している。このネットワーク１０では、本発明を適用した画像処理装置として設けられているプリントサーバ１２と、画像処理端末として設けられている複数のクライアント端末１４とが、通信回線１６を介してネットワーク接続されている。
【００２９】
また、プリントサーバ１２には、印刷出力装置としてプリンタ１８が接続されており、プリントサーバ１２は、クライアント端末１４から出力される印刷ジョブを受信すると、この印刷ジョブに応じた画像処理及び印刷出力を実行する。
【００３０】
なお、以下では、画像処理装置としてプリントサーバ１２を例に説明するが、本発明の画像処理装置は、これに限らず、クライアント端末１４とネットワーク接続されたファイルサーバなどの各種の中間サーバに設けて、画像処理を行うものであっても良い。
【００３１】
プリントサーバ１２及びクライアント端末１４には、ネットワークインターフェイス（ネットワークＩ／Ｆ）２０、２２が設けられており、プリントサーバ１２及びクライアント端末１４は、このネットワークインターフェイス２０、２２を介して通信回線１６に接続している。
【００３２】
また、プリントサーバ１２は、双方向インターフェース（双方向Ｉ／Ｆ）２４を備えており、この双方向Ｉ／Ｆ２４を介してプリンタ１８に接続している。なお、プリントサーバ１２は、複数台のプリンタ１８が接続されたものであっても良い。
【００３３】
このようなプリントサーバ１２は、パーソナルコンピュータ（ＰＣ）に所定機能を備えたＰＣＩボードを追加するなどして構成することができる。また、プリントサーバ１２は、キーボード、マウス等の入力デバイスと共に、ＣＲＴディスプレイや液晶ディスプレイ等の表示デバイスが接続され、表示デバイスに表示した画像に対する処理及び表示画像を印刷出力するＷＹＳＩＷＹＧ機能を備えたものであっても良い。さらに、プリントサーバ１２は、プリンタ１８と一体であっても良く、また、別体であっても良い。
【００３４】
プリントサーバ１２には、プリントサーバ１２自体及びプリンタ１８の作動を制御するプリントコントローラ２６、各種のデータを記憶するＨＤＤ２８及び画像処理部３０が形成されている。画像処理部３０では、クライアント端末１４から印刷ジョブ等のジョブ（以下、印刷ジョブとする）として入力される画像データ又は描画命令などのジョブデータに基づいてラスタデータを生成するＲＩＰ処理を行う。なお、プリントサーバ１２の基本的構成は、従来公知の一般的構成を適用でき、本実施の形態では詳細な説明を省略する。
【００３５】
一方、クライアント端末１４には、ＤＴＰアプリケーション（以下、アプリケーションとする）３２が設けられており、クライアント端末１４では、このアプリケーション３２を用いて、画像や文書の作成、加工、編集等の画像処理や文書作成等を行い、ページレイアウト等の印刷用の印刷データ（画像データや描画命令）の作成が可能となっている。
【００３６】
また、クライアント端末１４には、プリンタドライバ（ドライバソフト）３４が設けられており、クライアント端末１４では、このプリンタドライバ３４を用いて、アプリケーション３２によって作成した印刷データを印刷ジョブとしてプリントサーバ１２へ出力可能となっている。このときに、プリンタドライバ３４を用いることにより、各種の印刷機能等の設定が可能となっている。
【００３７】
プリントサーバ１２には、印刷機能設定部３６が形成されており、プリントサーバ１２では、クライアント端末１４から送信された印刷ジョブを受信すると、印刷ジョブで指定されている各種の印刷機能の設定を行い、設定した印刷機能に基づいて印刷ジョブに応じた印刷出力が得られるようにしている。
【００３８】
プリントサーバ１２には、色置換処理部４０が形成されている。また、プリントサーバ１２では、シアン（Ｃ）、マゼンタ（Ｍ）、イエロー（Ｙ）、ブラック（Ｋ）のプロセスカラーとは別に、予め複数の特色が設定されており、この特色ごとのＣＭＹＫ値がテーブル化されてＨＤＤ２８に記憶されている。
【００３９】
色置換処理部４０では、プロセスカラーの何れかに対して、特色への色置換が設定されていると、ＨＤＤ２８に記憶している該当特色のＣＭＹＫ値をルックアップテーブル（ＬＵＴ）として参照してＣＭＹＫ値を設定し、色情報の更新を行うようにしている。
【００４０】
すなわち、色置換処理部４０では、色置換が指定されている色を除いたＣＭＹＫ値に、特色のＣＭＹＫ値を合成することにより、新たなＣＭＹＫ値の色情報を生成する。
【００４１】
これにより、プリントサーバ１２では、例えばプロセスカラーの内の何れか２色を用いて２色印刷用の画像データや文書データが作成され、さらにそのうちの１色又は２色を、プロセスカラーとは異なる特色を用いて印刷出力できるようになっており、プロセスカラーとは異なる色である特色を用いて刷版印刷を行う印刷ジョブに対する印刷シミュレーションが可能となっている。
【００４２】
特色への色置換が指定された印刷ジョブに対する画像処理を行うときには、例えば、画像処理部３０の図示しないメモリ上にＣＭＹＫ出力用領域４２Ａと、ＣＭＹＫ補正用領域４２Ｂを設け、指定されている特色のＣＭＹＫ値をＣＭＹＫ出力用領域４２Ａに格納する。また、該当するオブジェクト上で使用されるプロセスカラーのＣＭＹＫ値は、ＣＭＹＫ色補正領域４２Ｂに格納する。
【００４３】
該当する描画オブジェクトの色情報を生成して出力するときには、ＣＭＹＫ出力用領域４２Ａに格納したＣＭＹＫ値とＣＭＹＫ補正用領域４２Ｂに格納したＣＭＹＫ値を合成する。
【００４４】
このときに、予めＣＭＹＫ補正用領域４２Ｂに格納しているＣＭＹＫ値に対する色補正を施すことができ、これにより、特色とプロセスカラーを用いた印刷シミュレーションを行うときにも、色置換の指定されていないプロセスカラーに対する色補正が可能となる。
【００４５】
また、プリントサーバ１２には、紙色処理部４４が設けられている。プリントサーバ１２では、特色を用いたＮ色印刷シミュレーションと共に、紙色シミュレーションが可能となっている。この紙色処理部４４では、実際の刷版を用いた印刷時に使用される紙色に合わせた印刷シミュレーションである紙色シミュレーションが指定されることにより、色置換を施すときに紙色を付加したＣＭＹＫ値の色情報を生成するようにしている。
【００４６】
プリントサーバ１２に設けているＨＤＤ２８には、予め紙色のＣＭＹＫ値が設定されることにより、このＣＭＹＫ値のテーブル（ＬＵＴ）が記憶されるようになっている。
【００４７】
一方、クライアント端末１４では、プリンタドライバ３４を用いて、プリントサーバ１２及びプリントサーバ１２に接続しているプリンタ１８に設けられている各種の印刷機能の利用を設定できるようになっている。
【００４８】
これにより、クライアント端末１４上で、アプリケーション３２によって作成した画像データや描画命令（印刷ジョブ）に対する画像処理や印刷処理を行うときに、プリントサーバ１２及びプリンタ１８に備えている各種の印刷機能を用いることができる。
【００４９】
プリントサーバ１２には、Ｎ色印刷シミュレーションの機能及びプロセスカラーの特色への置換機能が設けられており、クライアント端末１４上では、プリンタドライバ３４に設定されているユーザーインターフェイスを用いて、特色を用いたＮ色印刷シミュレーションの設定が可能となっている。
【００５０】
図２（Ａ）には、このユーザーインターフェイスの一例とするＮ色印刷シミュレーションダイアログ５０（以下、設定ダイアログ５０という）の一例を示している。この設定ダイアログ５０には、Ｎ色印刷シミュレーションを行うか否かを選択するチェックボックス５２が設けられ、このチェックボックス５２にチェックマークを入れることにより、Ｎ色印刷シミュレーションが選択される。
【００５１】
また、この設定ダイアログ５０には、シアン、マゼンタ、イエロー、ブラックの各色ごとに入力ボックス５４が向けられており、例えば、プルダウンメニューによって、「印刷する」、「印刷しない」の選択が可能となっている。これにより、１色から３色までのＮ色印刷シミュレーションの設定が可能となっている。
【００５２】
また、入力ボックス５４のプルダウンメニューには、Ｃ、Ｍ、Ｙ、Ｋの各プロセスカラーと共に、プリントサーバ１２で使用が設定されている特色、すなわち、プリントサーバ１２のＨＤＤ２８にＣＭＹＫ値のＬＵＴが記憶されている特色が表示されるようになっており、表示された特色を選択することにより、プロセスカラーから特色への色置換を設定することができるようになっている。
【００５３】
なお、図２（Ａ）では、シアンを特色１に置換し、マゼンタを特色２に置換する２色印刷シミュレーションに設定されている例を表示している。
【００５４】
一方、この設定ダイアログ５０では、紙色シミュレーションの設定が可能となっている。この設定ダイアログ５０上で、紙色シミュレーションを選択するときには、チェックボックス５６をマークするようにしており、これにより、入力ボックス５８への入力が可能となっている。
【００５５】
この入力ボックス５８では、例えばプルダウンメニューによって、予め設定されてプリントサーバ１２のＨＤＤ２８にＣＭＹＫ値のＬＵＴが記憶されている紙色が表示されるようになっており、表示された紙色を選択可能となっている。
【００５６】
なお、図２（Ｂ）に示すように、入力ボックス５８には、既に登録されている紙色ではなく、例えばＣＭＹＫ値を入力して紙色を指定するものであっても良く、図２（Ｂ）では、紙色のＣＭＹＫ値を、Ｃ＝１０、Ｍ＝４０、Ｙ＝０、Ｋ＝２に設定する例を示している。
【００５７】
ここで、本実施の形態の作用として、プリントサーバ１２での特色を用いたＮ色印刷シミュレーションと紙色シミュレーションを説明する。
【００５８】
このプリントサーバ１２では、クライアント端末１４上で、紙色のＣＭＹＫ値を入力可能となっているが、基本的に、ＨＤＤ２８に特色のテーブルと共に紙色のテーブルが予め記憶されるようになっており、先ず、紙色のＣＭＹＫ値の入力を説明する。なお、プリントサーバ１２では、紙色と同様に特色の入力が可能となっており、ここでは、紙色と特色の入力を合わせて説明する。
【００５９】
プリントサーバ１２には、紙色及び特色を入力するユーザーインターフェイスが設けられており、このユーザーインターフェイスを用いて、紙色及び特色の入力が可能となっている。また、プリントサーバ１２では、紙色や特色のカラー濃度を測定する図示しない濃度計を接続することにより、この濃度計を用いた紙色及び特色の入力が可能となっているものであっても良い。
【００６０】
濃度計は、ＣＭＹＫ値ではなく、Ｌ*ａ*ｂ*値（以下、Ｌ＊ａ＊ｂ＊値と記す）を出力するものが多い。ここから、図３に示すように、濃度計６０を用いて紙色又は特色のＣＭＹＫ値を得るときには、プリントサーバ１２に出力用ＬＵＴ（ルックアップテーブル）６２を設ける。
【００６１】
この出力用ＬＵＴ６２としては、プリンタ１８の特性を示すＩＣＣプロファイル等の色変換プロファイルが用いられる。最終的な印刷による成果物を得るときの紙や、特色のサンプルを被対象物として、この被測定物のカラー濃度を濃度計６０によって測定して出力されるカラー値から得られるＬ＊ａ＊ｂ＊値を、出力用ＬＵＴ６２を用いて、ＣＭＹＫ値に変換すればよい。
【００６２】
一方、図４（Ａ）〜図４（Ｃ）及び図５（Ａ）、図５（Ｂ）には、紙色及び特色の入力に用いるユーザーインターフェイスの一例を示しており、プリントサーバ１２では、例えばキャリブレーションなどのようにウィザード形式で、紙色や特色のテーブル（カラーテーブル）の作成が可能となるようにしている。
【００６３】
図４（Ａ）には、プリントサーバ１２上でテーブル作成が選択されることにより、図示しないモニタ上に、最初に表示されるダイアログ６４を示している。このダイアログ６４では、ラジオボックス６４Ａ又はラジオボックス６４Ｂによって特色のテーブル作成（特色指定）を行うか、紙色のテーブル作成（紙色指定）を選択する。
【００６４】
図４（Ｂ）には、ダイアログ６４の次に表示されるダイアログ６６を示している。このダイアログ６６では、ラジオボックス６６Ａ、６６Ｂによって測色機（濃度計６０）を使用するか、数値入力を行うかの選択が可能となるようにしている。
【００６５】
ここで、ラジオボックス６６Ａをマークして濃度計６０（測色機）を用いた入力が選択されることにより、図４（Ｃ）に示すダイアログ６８が表示され、濃度測定が可能となる。
【００６６】
また、ダイアログ６６でラジオボックス６６Ｂをマークして、数値入力を選択したときには、図５（Ａ）に示す入力ダイアログ７０が表示される。この入力ダイアログ７０では、ラジオボックス７０Ａ、７０ＢによってＬ＊ａ＊ｂ＊値を入力するか、ＣＭＹＫ値を入力するかの選択が可能となっており、何れかを選択して、入力ボックス７２に数値を入力することにより、入力された数値が読み込まれる。
【００６７】
なお、濃度計６０を用いたときは勿論、ダイアログ７０でラジオボックス７０ＡをマークしてＬ＊ａ＊ｂ＊値を入力したときには、出力用ＬＵＴ６２によってＣＭＹＫ値への変換が行われる。
【００６８】
このようにして入力が終了すると、図５（Ｂ）に示す保存ダイアログ７４が表示され、入力ボックス７６に名前を入力することにより、入力した名前で紙色又は特色のテーブルがＨＤＤ２８に保存される。
【００６９】
このようにして保存したテーブルに対する紙色や特色は、クライアント端末１４上で、設定ダイアログ５０（図２（Ａ）参照）を表示したときに、入力ボックス５４又は入力ボックス５８にプルダウンメニューとして表示可能となる。
【００７０】
また、プリントサーバ１２では、この特色のテーブルに基づいて特色を用いたＮ色印刷シミュレーションを行い、紙色のテーブルに基づいて紙色シミュレーションを行うようにしている。
【００７１】
特色を用いたＮ色印刷シミュレーションを行うときに、紙色シミュレーションが設定されていると、プリントサーバ１２では、特色のテーブルと、紙色のテーブル（ＣＭＹＫ値）を用いて、特色のテーブルに紙色のＣＭＹＫ値を加えて、指定された紙色上で特色を印刷したときのテーブルを作成する。
【００７２】
例えば、特色1のテーブルを表１に示す。
【００７３】
【表１】
2005182607.tif 000003
【００７４】
このとき、紙色ＡのＣＭＹＫ値が、Ｃ＝１０、Ｍ＝４０、Ｃ＝０、Ｋ＝２であるときに、特色１を紙色Ａ上で印刷したときの特色１のテーブルを作成する。このときのテーブルは、表１と紙色ＡのＣＭＹＫ値から、表２に示すテーブルとなる。
【００７５】
【表２】
2005182607.tif 000004
【００７６】
プリントサーバ１２では、この表２のテーブルを用いて特色１に対する色置換を行うことにより、紙色Ａを含めたＮ色印刷シミュレーションを行う。
【００７７】
なお、２色以上の特色を用いるときには、何れか１色の特色に対して、紙色を加えたテーブルを作成する。これにより、実際以上に紙色の濃度が高くなるのを防止することができる。
【００７８】
また、特色を使用しないときには、Ｃ、Ｍ、Ｙ、Ｋの何れか１色の版に対して、紙色のＣＭＹＫ値を加えた新たな色情報を作成するものであれば良い。
【００７９】
図６には、このときのプリントサーバ１２での処理の流れを示している。このフローチャートでは、最初のステップ１００でプロセスカラーの何れかに特色への色置換が指定されているか否かを確認し、特色への色置換が設定されているときには、ステップ１００で肯定判定して、紙色の設定があるか否かを確認する。
【００８０】
ここで、紙色の設定があるときには、ステップ１０２で肯定判定してステップ１０４へ移行する。このステップ１０４では、設定されている紙色に対するＣＭＹＫ値を読み出し、また、ステップ１０６では、置換が指定されている特色のうちの１色に対するテーブルを読み出す。
【００８１】
この後に、ステップ１０８では、特色のテーブルに紙色のＣＭＹＫ値を加算することにより、色置換に用いる特色のテーブルを作成し、ステップ１１０へ移行することにより、この特色を用いた色置換を実行する。なお、特色への色置換が指定されていないときには、このフローチャートを終了し、通常の画像処理を実行する。
【００８２】
これにより、簡単に紙色を含めた色情報を作成して印刷処理を行うことができる。
【００８３】
なお、ステップ１１０で実行される置換処理は、任意の処理を適用することができるが、例えば、Ｃ、Ｍ、Ｙ、Ｋのプロセスカラーのうちで、Ｃ版とＭ版を用いた２色印刷シミュレーションが設定されており、Ｃ版を特色１に置換し、Ｍ版を特色２に置換するときには、Ｃ版の画像データと特色１のテーブルを用いて、Ｃ版を特色１で形成するためのＣ、Ｍ、Ｙ、Ｋの各色情報を生成すると共に、Ｍ版の画像データと特色２のテーブルを用いて、Ｍ版を特色２で形成するためのＣ、Ｍ、Ｙ、Ｋの各色情報を生成し、これらを加えあわせることにより、新たな色情報を生成すればよい。
【００８４】
一方、特色については、ＣＭＹＫ値として入力されるときがある。この場合には、特色に対しても、通常のプロセスカラーと同様に色補正を行う必要がある。このときには、色補正を施したＣＭＹＫ値に、紙色のＣＭＹＫ値を加えることが好ましい。
【００８５】
すなわち、このときには、図７に示すように、特色への色置換が指定され、ステップ１００で肯定判定したときには、ステップ１１０へ移行して、色置換処理を実行して、新たな色情報（ＣＭＹＫ値）を作成し、次のステップ１１２では、生成されたＣＭＹＫ値に対する色補正を施す。
【００８６】
色補正が終了すると、ステップ１０２へ移行して、紙色の設定があるかを確認し、紙色の設定があるときには、ステップ１０２で肯定判定してステップ１０４へ移行し、紙色のＣＭＹＫ値を読み込む。
【００８７】
次のステップ１１４では、ステップ１１２で補正した色情報に紙色の色情報を加えて、新たな色情報、すなわち、紙色シミュレーションを行った色情報を生成すればよい。
【００８８】
なお、特色と共に紙色もＣＭＹＫ値で入力されたときには、前記した図６のステップ１０４の次に、ＣＭＹＫ色補正を実行すればよい。
【００８９】
これにより、紙色や特色が予め登録されておらず、ＣＭＹＫ値として入力されたときにも、正確な色再現が可能となる。
【００９０】
一方、紙色シミュレーションを行うときに、プロセスカラーの中で出力しないプロセスカラーがあるときには、そのプロセスカラーに対して色置換を施して紙色シミュレーションを行うようにしても良い。
【００９１】
このときには、濃度にかかわらずＣＭＹＫ値が一定の紙色のテーブルを作成する。例えば、紙色ＡのＣＭＹＫ値が、Ｃ＝１０、Ｍ＝４０、Ｙ＝０、Ｋ＝２であるときには、表３に示すテーブルを作成する。
【００９２】
【表３】
2005182607.tif 000005
【００９３】
すなわち、濃度にかかわらずＣＭＹＫ値が一定となるテーブルを作成する。
【００９４】
この紙色（例えば紙色Ａ）のテーブルを用いるときには、出力が指定されていないプロセスカラーの有無を確認し、出力が指定されていないプロセスカラーに対しては、その色を紙色に置換するように設定する。すなわち、紙色を特色の一つとしてＮ色印刷シミュレーションを行うようにすればよい。
【００９５】
なお、以上の説明では、紙色と特色を用いて、新たな特色のテーブルを作成して、色置換を行うか、紙色を特色の一つとして色置換を行うようにしたが、紙色シミュレーションは、これに限るものではない。
【００９６】
例えば、プリントサーバ１２に特色のオーバープリント機能を備えているときには、このオーバープリント機能を用いて紙色シミュレーションを行うことも可能である。
【００９７】
図８には、オーバープリント機能を用いた紙色シミュレーションの一例を示している。
【００９８】
このフローチャートでは、最初のステップ１２０でクライアント端末１４から送信されたジョブを受信すると、ステップ１２２では、先ず、１ページ目の描画データ又は画像データを読み込み、このページに対する描画処理を行う（ステップ１２４）。このときに色置換やＮ色印刷シミュレーション等の印刷機能が設定されていれば、その設定に基づいた処理を行う。
【００９９】
この後、ステップ１２６で１ページ分の描画処理が終了したことを確認して肯定判定すると、ステップ１２８へ移行して紙色の設定があるか否かを確認する。
【０１００】
ここで、紙色の設定があるときには、ステップ１２８で肯定判定してステップ１３０へ移行する。このステップ１３０では、紙色の名前（特色名）を取得し、ステップ１３２では、この特色名に基づいてページ全面に対してオーバープリント処理を施す。
【０１０１】
ここで、ステップ１３０で取得した紙色の名前が「Ｃ１０Ｍ４０Ｙ０Ｋ２」であったときの例を示す。
【０１０２】
trues  etoverpprint  ％オーバープリントに設定
[/Separation（＝Ｃ１０Ｍ４０Ｙ０Ｋ２）/DeviceGray[]]  setcolorspace％紙色の特色に設定
initclip  clippath  fill  ％全面に描画
このような描画命令をステップ１３２で行うことにより、全面に紙色でのオーバープリントが行われる。
【０１０３】
プリントサーバ１２の特色オーバープリント機能により、この特色名がＨＤＤ２８に記憶されているＣＭＹＫ値に変換され、紙色のＣＭＹＫ値でオーバープリントされることになる。
【０１０４】
すなわち、ページ全面に紙色のＣＭＹＫ値を上乗せすることにより、ページ全面を紙色で塗りつぶす。なお、ステップ１３４では、全ページに対する処理を終了したか否かを確認する。すなわち、紙色シミュレーションが設定されている全ページに対して、紙色をオーバープリントする。
【０１０５】
このような方法を用いても、簡単に紙色シミュレーションが可能となる。
【０１０６】
なお、以上説明した本実施の形態では、プリントサーバ１２を例に説明したが、本発明は、プリントサーバ１２に限らず、任意の構成のプリントサーバに設けられる画像処理装置に適用することができる。また、本発明は、プリントサーバに限らず、クライアント端末１４で作成された画像データ又は描画命令に基づいた画像処理を行う任意の構成の画像処理装置に適用することができる。
【図面の簡単な説明】
【０１０７】
【図１】本実施の形態に適用したネットワーク及びプリントサーバの概略構成図である。
【図２】Ｌ*ａ*ｂ*値のＣＭＹＫ値への変換を示す概略図である。
【図３】（Ａ）及び（Ｂ）はクライアント端末上でのＮ色印刷シミュレーション及び紙色シミュレーションの設定を行うユーザーインターフェイスの一例として用いる設定ダイアログの概略図である。
【図４】（Ａ）乃至（Ｃ）はウィザード方法によって紙色又は特色を設定するときにユーザーインターフェイスの一例として用いるダイアログを示す概略図である。
【図５】（Ａ）及び（Ｂ）は図４（Ａ）乃至（Ｃ）と合わせて用いるダイアログを示す概略図である。
【図６】特色を用いた色置換と紙色シミュレーションの一例を示す処理の概略の流れ図である。
【図７】特色を用いた色置換と紙色シミュレーションの他の一例を示す処理の概略の流れ図である。
【図８】オーバープリント機能を用いた紙色シミュレーションの一例を示す流れ図である。
【符号の説明】
【０１０８】
１０    ネットワーク
１２    プリントサーバ（画像処理装置）
１４    クライアント端末（画像処理端末）
１８    プリンタ
２６    プリントコントローラ
２８    ＨＤＤ
３０    画像処理部
３２    アプリケーション
３４    プリンタドライバ
４０    色置換処理部
４４    紙色処理部
【図１】
2005182607.tif 000006
【図２】
2005182607.tif 000007
【図３】
2005182607.tif 000008
【図４】
2005182607.tif 000009
【図５】
2005182607.tif 000010
【図６】
2005182607.tif 000011
【図７】
2005182607.tif 000012
【図８】
2005182607.tif 000013